(57)【要約】【課題】  ダニやその死骸もしくは糞等に起因するいわゆるアレルゲンを掃除機で容易に吸い出しできる寝具を提供する。【解決手段】  寝具は、第１通風孔を有するポーチ袋（１２）で中綿材を包み込んだ１個又は複数のポーチ（１０）と、ポーチ（１０）を収納し第１通風孔よりも粗い第２通風孔を有するカバー袋（２０）とを備える。中綿材とは、例えば布団繊維、羽毛、真綿や合繊繊維等からなる保温材の集合体を含む。第１通風孔（１４）は、直径０．１ｍｍよりも小さい連続した微細孔であることが好ましい。また、第２通風孔（２３）は、０．５ｍｍ角よりも粗いメッシュであることが好ましい。【選択図】  図１
2020099685.tif 000002
【特許請求の範囲】
【請求項１】
第１通風孔を有するポーチ袋で中綿材を包み込んだ１個又は複数のポーチと、
前記ポーチを収納し前記第１通風孔よりも粗い第２通風孔を有するカバー袋と、を備え、
前記ポーチ袋の縁部は、レーザー溶着、接着剤又は熱溶着で密封して前記中綿材を包み込む寝具。
【請求項２】
前記カバー袋は平面視で長方形であり、その両側に前記第２通風孔を有するメッシュ部で形成され中央に前記ポーチを入れるポーチ投入口が形成されている、請求項１に記載の寝具。  
【請求項３】
前記ポーチ袋の前記第１通風孔は、直径０．１ｍｍよりも小さい連続した微細孔であり、
前記第２通風孔は、０．５ｍｍ角よりも粗いメッシュである、請求項１又は請求項２に記載の寝具。  
【請求項４】
前記ポーチ袋は高密度織物もしくは不織布材で構成され、
前記第２通風孔は、０．５ｍｍ角よりも粗いメッシュである、請求項１又は請求項２に記載の寝具。
【請求項５】
前記ポーチ袋の縁部はさらに縫製されている、請求項１から請求項４のいずれか一項に記載の寝具。
【請求項６】
複数の前記ポーチの各々の縁部が熱溶着又は接着剤で二次元に広がるように接続されるとともに、接続された前記ポーチの各々の縁部には隙間が形成される、請求項１から請求項５のいずれか一項に記載の寝具。
【請求項７】
前記中綿材又は前記ポーチ袋は、ダニ忌避剤が含まれる、請求項１から請求項６のいずれか一項に記載の寝具。
【発明の詳細な説明】
【技術分野】
【０００１】
本発明は、布団又は枕などに付着したダニやその糞、死骸を含むハウスダストを掃除機で吸い出せるようにした寝具に関するものである。
【背景技術】
【０００２】
じゅうたん、カーペット、畳、布団等にはダニが繁殖しやすく、人がこのダニの生体や死骸もしくは糞をアレルゲンとして吸引することにより、喘息、鼻アレルギー等を起こすことが知られている。また、布団綿等の分離した繊維ダストもアレルゲンとなることも指摘されている。ダニの防除方法としては、天日干し、掃除機での吸引除去等があるが、天日干しは天候不順時、特にダニの繁殖しやすい梅雨時には困難であり、またダニの除去も難しい。また、掃除機でダニの吸引除去を行なった場合、長時間の作業が必要であり手間がかかるため、布団カバーに、繊維が緻密でダニの生体や死骸等が通過できない防ダニ防塵性を持たせることが有効であると指摘されてきた。
【０００３】
これらの布団や枕等の寝具の具体的なダニ対策としては、例えば、特許文献１のカバー部材が提案されている。このカバー部材は、ダニを通さないシート状の布を袋状にした構造で、ダニを通さないスライダーによりエレメントを噛み合わせたり離したりして開閉する構造のスライドファスナーと、雌雄嵌合するシール条によって開閉する構造のシールチャックとを有している。この二重以上のファスナーでダニの通過をより確実に抑制することができるようにしている。
【先行技術文献】
【特許文献】
【０００４】
【特許文献１】特許２００９−９５４７４号公報
【発明の概要】
【発明が解決しようとする課題】
【０００５】
しかしながら、これらのカバー部材では、カバー部材のファスナーを意図的に開閉することもあり得るし、ファスナーが不意に開いてしまうこともある。そのような場合にダニの通過を十分に抑制することができなかった。それよりも、ダニやその死骸もしくは糞等に起因するいわゆるアレルゲンを掃除機で容易に吸い出しできるようにした方が好ましい。
【課題を解決するための手段】
【０００６】
本発明の実施形態の寝具は、第１通風孔を有するポーチ袋で中綿材を包み込んだ１個又は複数のポーチと、ポーチを収納し第１通風孔よりも粗い第２通風孔を有するカバー袋とを備える。中綿材とは、例えば、布団繊維として用いられる真綿等の自然繊維もしくはポリエステルもしくはアクリル等の化学繊維からなる保温剤の集合体を含む概念である。第１通風孔は、直径０．１ｍｍよりも小さい連続した微細孔であることが好ましい。また、第２通風孔は、０．５ｍｍ角よりも粗いメッシュであることが好ましい。
【０００７】
ポーチ袋は高密度織物又は不織布材等で構成され、第1通風孔が０．１ｍｍよりも小さい連続した微細孔であることが好ましい。また、１個又は複数のポーチの縁部が熱溶着、超音波溶着、シームテープ又は接着剤等で二次元に広がるように接続されるとともに、接続されたポーチの各々の縁部には接続のための留め孔や留め具が形成されてもよい。中綿材は、ダニ忌避剤（フェノトリン、イカリジン、ディート、ペルメトリン、アレスチン等）が含まれてもよい。
【発明の効果】
【０００８】
このポーチ袋の高密度織物の第１通風孔はダニの生体よりも小さな連続した微細孔で、アレルゲンとなるダニの生体の侵入を阻止するとともに、ポーチ内に収納された中綿材から繊維ダストがポーチ外に出ることも阻止する。これは、通気性の有る不織布材を用いた場合も同様である。一方、カバー袋の第２通風孔はダニの生体や死骸、排泄物の大きさよりも十分に大きい。したがって、掃除機により、カバー袋に侵入しポーチに付着したダニ由来のアレルゲンを、このカバー袋の第２通風孔を通じて、カバー袋の外に吸い出すことが容易になる。また、第２通風孔を備えることにより、掃除機がポーチの表面を吸い込んで動かしにくくなることを防ぎ、掃除がしやすくなる。
【図面の簡単な説明】
【０００９】
【図１】本実施形態の寝具の説明図である。
【図２】本実施形態のポーチ及びその材料を示した図で、（Ａ）は封止前のポーチの状態図、（Ｂ）は封止後のポーチの第１例の状態図、（Ｃ）は封止後のポーチの第２例の状態図、（Ｄ）は高密度織物の表面の拡大図、（Ｅ）は不織布材表面の拡大図である。
【図３】本実施形態のポーチの別の構成で、（Ａ）はポーチ成形の説明図、（Ｂ）はポーチ成形後の状態図である。
【図４】シート状の素材を用いて複数のポーチを成型する方法の説明図で、（Ａ）は成形の際のポーチシートと中綿材シートの配置の説明図、（Ｂ）は金型を用いての溶着・カット過程の説明図である。
【図５】各ポーチの積層構造の説明図で、（Ａ）は多重ボックス構造、（Ｂ）は多重オフセット構造の説明図である。
【図６】本実施形態のポーチの接続状態図で、（Ａ）はＹ軸方向に接続する際の接続状態図、（Ｂ）はＸ軸方向に接続する際の接続状態図であり、（Ｃ）は接続布１８を用いてＸＹ軸方向に接続する際の接続状態図である。
【図７】本実施形態のカバー袋で、（Ａ）は平面図、（Ｂ）は下面図、（Ｃ）は右側面図である。
【図８】本実施形態の寝具で、（Ａ）は平面図、（Ｂ）は下面図、（Ｃ）は右側面図である。
【図９】留め具を利用した図８の本実施形態の寝具で、（Ａ）は平面図、（Ｂ）はＡ−Ａ断面図、（Ｃ）はＢ−Ｂ断面図である。
【図１０】本実施形態の寝具を用い、サイズの大きい布団（掛け布団又は敷布団）に展開する場合の説明図で、（Ａ）はプラスＸ軸方向へサイズを拡張する場合の説明図、（Ｂ）はさらにプラスＹ軸方向へサイズを拡張する場合の説明図である。
【図１１】４つのポーチで布団（掛け布団又は敷布団）に展開する場合の説明図で、（Ａ）はその平面図、（Ｂ）は（Ａ）のＢ−Ｂ断面図である。
【図１２】サイズの大きいポーチを用いた本実施形態の寝具の外観図である。
【図１３】カバー袋の配置の説明図である。
【図１４】サイズの大きいポーチを用いた本実施形態の寝具で、（Ａ）は平面図、（Ｂ）はＡ−Ａ断面図、（Ｃ）はＢ−Ｂ断面図である。
【発明を実施するための形態】
【００１０】
以下、本発明の実施形態を図面に基づいて詳細に説明する。なお、説明に用いる各図はこれら発明を理解できる程度に概略的に示してあり、大きさ、角度又は厚み等は誇張して描いている。また説明に用いる各図において、同様な構成成分については同一の番号を付して示し、その説明を省略する場合もある。また、以下の実施形態中で述べる形状、寸法、材質等はこの発明の範囲内の好適例に過ぎない。
【００１１】
＜寝具の概略構成＞
図１は本実施形態の寝具の説明図である。本実施形態の寝具はポーチ１０とそれらを複数収納するカバー袋２０とから構成される。図１は例えば３ｃｍ×３ｃｍ×３ｃｍの小型のポーチ１０を寝具に適用した例である。中綿材１１は、ポーチ袋１２の中綿材投入口１５から投入され、柔軟性を有するポーチ袋１２に包み込まれる。そして中綿材投入口１５は、中綿材投入口１５が接着剤等３１により封止される。そして、それらのポーチ１０は、例えば２０ｃｍ×３０ｃｍのカバー袋２０の各ポーチ投入口２４ａ、２４ｂから投入される。カバー袋２０は、その周囲以外は例えば１ｃｍ角の穴が空いたカバー袋メッシュ部２１に形成されている。
【００１２】
また、留め具３３（３３ａ〜３３ｄ）がカバー袋２０に設けられてもよい。カバー袋２０のポーチ投入口２４ａ、２４ｂは、ポーチ１０がカバー袋２０の外に出ないように、留め具３３ａ、３３ｂで留められる。またカバー袋２０の中の各々のポーチ１０が動かないように、カバー袋メッシュ部２１の一部を留め具３３ｃ、３３ｄで留めてもよい。
【００１３】
本実施形態の寝具を枕として使用する場合には、本実施形態の寝具が枕カバー３４に挿入され、枕として使用することができる。また、掛け布団や敷き布団として使用する場合には、例えば１５ｃｍ×３０ｃｍ、３０ｃｍ×３０ｃｍ、又は７０ｃｍ×５０ｃｍ等のカバー袋２０が複数用意されて、縦方向および横方向にカバー袋２０を接続し、掛け布団や敷き布団のサイズ（例えば２１０×１５０ｃｍ）に合わせる。そして接続した複数のカバー袋２０が、掛け布団や敷き布団用のカバー内に入れられることで、掛け布団や敷き布団としても使用することができる。
【００１４】
＜寝具の掃除＞
本実施形態の寝具からダニを除去する場合、使用者が枕カバー３４を取り外して又は枕カバーに設けられたファスナー等の開口部を開いて、カバー袋メッシュ部２１の上から掃除機を当ててダニの生体及び死骸又はダニの糞等を吸い出す。各々のポーチ１０の間に隙間があり、掃除機でダニの生体及び死骸又はダニの糞等を吸いやすい。活きたダニはポーチ袋１２の表面、カバー袋２０等にしがみついて掃除機を使っても吸い出しすることができない場合がある。このような場合も想定して、使用者は、加熱機器等を用いてダニを熱で死滅させ、その後掃除機でその死骸を吸い出しできるようにしてもよい。
【００１５】
ダニは５０°Ｃの熱で３０分程度、６０°Ｃの熱では瞬時に死滅する。寝具を構成する中綿材１１、ポーチ袋１２、縫込みもしくは接着剤等３１及び３２、カバー袋２０及び留め具３３については、これらのダニを死滅させるために必要な温度・時間にさらされても耐え得る材料が用いられることが好ましい。
【００１６】
<パーツの交換>
本実施形態の寝具の場合、ポーチ袋１２又はカバー袋２０が破損してもポーチ袋１２又はカバー袋２０の単位で交換することで寝具の寿命を延ばすことができるため経済的である。また、ポーチは季節ごとに付け替えられる為、シーズンオフの寝具の収納がしやすくなる。
【００１７】
<廃棄>
本実施形態の寝具の場合、使用者はポーチ袋１２又はカバー袋２０に分解して廃棄することができるため、粗大ごみとして出す負担が軽減できる。
【００１８】
＜ポーチの詳細構成＞
図２は、本実施形態のポーチ及びその材料等を示した図である。図２（Ａ）は封止前のポーチの状態図、図２（Ｂ）は封止後のポーチ１０の状態図、図２（Ｃ）は封止後のポーチ１０ｃの状態図、図２（Ｄ）ポーチ袋１２の高密度織物の表面の拡大図、図２（Ｅ）はポーチ袋１２の不織布材表面の拡大図である。ポーチ袋１２に投入される中綿材１１は、木綿、布団繊維として用いられる羽毛、真綿等の天然繊維もしくはアクリルやポリエステル等の化学繊維である。また、中綿材１１の材質やポーチ袋１２への投入量は、枕や掛け布団、敷き布団等の寝具の用途に合わせ、その柔軟性や保温性なども考慮して決められることが好ましい。
【００１９】
図２（Ａ）に示されるように、ポーチ袋１２は４つの辺（縁部）のうち１辺がポーチ袋投入口１５になっている。３辺（縁部）はシームテープもしくは接着剤で接合していたり熱溶着で溶着されたり超音波溶着、レーザー溶着で溶着されていたりする。また、ポーチ袋１２は四角形でなくてもよく、円形もしくは多角形等にすることもできる。ポーチ袋１２がポリエステル等の化学繊維等で織られた高密度織物もしくは不織布であれば超音波溶着で溶着できる。溶着された部分が使用中に剥がれてしまわないように、溶着された縁部がさらに縫製されてもよい。中綿材１１は、ポーチ袋投入口１５からポーチ袋１２に投入された後に、ポーチ袋投入口１５に塗布された接着剤等３１又は超音波溶着等で封止される。中綿材１１が入れられた後に接着剤等３１又は超音波溶着等で封止した後に、封止された部分が剥がれないように、封止された部分がさらに縫製されてもよい。図２（Ｂ）はこの封止後のポーチ１０の第１例の状態図である。このポーチ１０の高さＨ１と幅Ｌ１は、掃除機によるダニの吸い出し作業の容易性と、寝具としての快適性に関係する。枕に適用する場合はポーチ１０の高さＨ１及び幅Ｌ１が小さくでも問題ない。枕に適用されるポーチ１０の大きさは、高さＨ１、幅Ｌ１ともに３ｃｍ以下で良く、ポーチ袋１２に十分な中綿材１１を封止した場合には膨らんだ立方体、別の言い方をすれば球状に近い形状となる。例えばポーチ１０の高さＨ１が３ｃｍ、幅Ｌ１が３ｃｍであれば、カバー袋２０の個々のポーチ１０との間に隙間があり、カバー袋メッシュ部２１の一方（表側）から掃除機で吸引すると他方（裏側）のダニの死骸も吸い出しできる。
【００２０】
一方、ポーチ１０の高さＨ１が３ｃｍで幅Ｌ１が３ｃｍの矩形であれば、人体の下に敷いて用いられる敷き布団もしくは人の上に掛けて用いられる掛け布団の場合には寝心地の快適性が下がる。個々のポーチ１０による凸凹感が出てしまい、寝心地の快適性は下がる傾向がある。掛け布団もしくは敷き布団に使用する場合にはポーチ１０の高さＨ１及び幅Ｌ１は、５０ｃｍ×７０ｃｍ、または６０ｃｍ×１５０ｃｍ等の長方形の大きさにした方がよい。この場合、掃除機の吸い取り口に比べポーチ１０が大きいため、使用者はカバー袋メッシュ部２１の表面を掃除機で吸引し、カバー袋２０を反対にして裏面を表側にして掃除機で吸引することになる。もちろん使用者はポーチ１０をカバー袋２０から取り出してポーチ１０を１つずつ掃除機で吸引してもよい。
【００２１】
図２（Ｃ）はこの封止後のポーチの第２例の状態図である。第２例のポーチ１０ｃのポーチ袋１２ａは、例えば高さＨ１が３ｃｍで幅Ｌ１が３ｃｍであれば中央領域に例えば直径０．５から１ｃｍの空気孔１２ｃが形成され、例えば高さＨ１が６０ｃｍで幅Ｌ１が１５０ｃｍであれば中央領域に例えば直径５ｃｍから２０ｃｍの空気孔１２ｃが形成されている。空気孔１２ｃの周囲は接着剤等３１又は超音波溶着等で封止される。またその周囲が接着剤等３１又は超音波溶着等で封止した後に、封止された部分が剥がれないように、封止された部分が縫製されてもよい。蒸し暑い時期などには、各ポーチ１０ｃに空気孔１２ｃがあることで、枕もしくは布団が蒸れにくくなる。また掃除機で吸引した際に、表側と裏側とのダニなどのアレルゲンも吸い出しし易くなる。
【００２２】
図２（Ｄ）は、ポーチ袋１２の表面１３の拡大図である。図２（Ｄ）はポーチ袋１２に高密度織物を用いた場合のポーチ袋表面１３の一部の拡大図である。そのポーチ袋表面１３は、連続した微細孔となる第１通風孔１４を有する織物となっている。この第１通風孔１４の形状は円形や矩形等の形状によらず、空気は通すがハウスダストを通しにくいサイズの素材を選択する。少なくとも直径０．１ｍｍのサイズのものが通過しないサイズが好ましい。この高密度織物としては、ポリエチレン等の化学繊維又は天然繊維で織られた織物などが用いられる。本実施形態ではハイマルチ糸１９（５０ｄ（デニール）／７２ｆ（フィラメント）が使用されている。そのハイマルチ糸１９が立糸１６５本／インチ×横糸１２９本／インチで織られた高密度織物が使用されている。そして立糸のハイマルチ糸１９と横糸のハイマルチ糸１９との交差点に、直径０．０４〜０．０５ｍｍ（４０μｍ〜５０μｍ）の第１通風孔１４が形成される。
【００２３】
ポーチ袋１２は、接着剤等３１でポーチ袋１２が封止された後は、ダニの生体のサイズが０．３〜０．５ｍｍ（３００μｍ〜５００μｍ）であることから、ダニの生体がこの第１通風孔１４を通過することはない。また、中綿材３１が繊維ダストとしてポーチ袋１２の外に出ることもない。
【００２４】
なお、第１通風孔１４が直径０．１ｍｍの大きさでは、他のアレルゲンとなる０．０１〜０．０３ｍｍ（１０μｍ〜３０μｍ）の大きさをもつダニの糞や死後に粉砕したダニの死骸は通過してしまうことがある。これらのアレルゲンが通過しないように、例えばポーチ袋１２はコーティングされたり多層構造にされたりして第１通風孔１４を０．０１ｍｍ（１０μｍ）以下にしてもよい。ポーチ袋の表面１３がコーティングされると、ポーチ袋１２の通気性やポーチ１０の柔軟性にも悪影響を及ぼすこともある。そのためコーティング剤及びコーティングの厚みに考慮する必要がある。ポーチ袋１２の表面の状態によっては、ダニの生体がポーチ袋１２の表面にしがみつくことがある。ポーチ袋１２の表面、潤滑性のあるコーティング面が形成されることでダニ生体がポーチ袋１２の表面にしがみつくことを阻止することもできる。このコーティングには、アクリルポリマー等のコーティング剤等が好ましい。また、安全性が高いフッ素系等のコーティングが施されることで撥水性や防水性を高め、ポーチ表面に残るダニアレルゲンを水で洗い流せるようにしてもよい。
【００２５】
図２（Ｅ）はポーチ袋１２に不織布材を用いた場合のポーチ袋表面１３の拡大図である。そのポーチ袋の表面１３は、数μｍの短繊維を構成され、不織布材はこれらの短繊維からなる層を積層したものとなる。多層の不織布材を用いた場合には、第１通風孔１４が０．０１ｍｍ（１０μｍ）以下になり、大きさが０．０１〜０．０３ｍｍのダニ糞や死後に粉砕したダニの死骸の通過を阻止することができる。またポーチ袋１２の通気性も確保できる。
【００２６】
さらに必要であれば、ダニを寄せ付けない手段として、中綿材１１やポーチ袋表面１３等に予めフェノトリン、イカリジン、ディート、ペルメトリアン、アレスチン等のダニ忌避剤を含ませてもよい。
【００２７】
次に、ポーチ袋１２の封止に用いる縫込みもしくは接着剤等３２について説明する。ポーチ袋１２が高密度織物材や不織布材の場合、封止に用いる縫込みもしくは接着剤等３２については、粘性の低い接着剤等ではポーチ袋１２内部に浸透してしまう。したがって、接着剤を用いる場合には粘性に注意を図り、常温硬化タイプの接着剤や熱溶着タイプの接着剤等を用いることが好ましい。具体的には、粘性の高い液体状の酢酸ビニル系の接着剤が好ましい。また、加熱時の粘性を考慮した上で、加熱融着するサーマルボンドなどをポーチ袋１２の材質を考慮しながら選択することもできる。
【００２８】
図３は本実施形態のポーチの別の構成である。図３（Ａ）はポーチ１０の成形の説明図、図３（Ｂ）は成形後のポーチ１０の状態図である。以下、図３（Ａ）で、ポーチ１０の成形方法について説明する。
【００２９】
図３では１つのポーチ１０で説明するが、ロール状に巻かれたポーチシート１６ａとポーチシート１６ｂとロール状に巻かれた中綿材シート１１とを使って大量に成形する。まず、ポーチ１０を構成する高さＨ２＋糊代幅の２枚のポーチシート１６ａ及びポーチシート１６ｂが用意され、幅Ｈ２の中綿材シート１１が用意される。すでにひとつ前に成形されたポーチ１０によって、２枚のポーチシート１６ａ及びポーチシート１６ｂの高さＹ軸側の１辺は熱溶着もしくは超音波溶着済みである。そして２枚のポーチシート１６ａ，１６ｂに中綿材１１のシートが入れられた状態で、Ｘ軸側の２辺が溶着されるとともに、残りのＹ軸側の一辺も溶着される。そしてそのＹ軸側の溶着された領域がカッターで切離される。これによりポーチ１０ができあがる。この方法によれば、１つの工程で、後述する図６に示すようなポーチ１０が連続接続したものや、大きなサイズのポーチ１０が作られる。  
【００３０】
また、上述したように、ポーチ１０のサイズは、掃除機によるダニの吸い出し作業の容易性と、寝具としての快適性に関係することからそれらを配慮する。ポーチ１０が大型になるとポーチ１０による凸凹感がなくなり、寝具としての寝心地の快適性は上がる。一方で、掃除機によるダニの吸い出し作業が困難になる。したがって、ポーチ１０の高さＨ２と幅Ｌ２については、使用する寝具に合わせて最適なサイズを選ぶことが望ましい。
【００３１】
図４は、シート状の素材を用いて複数のポーチを成型する方法の説明図である。
図４（Ａ）は成型の際のポーチシート１６（１６ａ、１６ｂ）と中綿材１１のシートの配置の説明図で、図４（Ｂ）は金型を用いての溶着・カット過程の説明図である。
【００３２】
図４（Ａ）及び図４（Ｂ）のように、中綿材１１及びポーチシート（１６ａ、１６ｂ）ともに溶着できる素材を選択した場合、シート状の中綿材１１をポーチシート１６ａとポーチシート１６ｂで挟み、シートサイズで一気に溶着し、後にカッター等３５でポーチサイズに切り離す方法により、効率的に成型することができる。溶着しながら切り離しても良い。また、素材はロール状に巻かれたものを使用しても構わない。
【００３３】
図５は各ポーチの積層構造で、図５（Ａ）は多重ボックス構造、図５（Ｂ）は多重オフセット構造の説明図である。各ポーチ１０は、カバー袋メッシュ部２１の中に配置されることから、その配置方向に合わせて表している。通常の寝具の製造時には、いずれの積層構造においても各ポーチ１０の間の接続を密にすることで熱損失を小さくし、さらに多重に積層することで保温力を高める。さらに本実施形態の寝具では各ポーチ１０が多重に積層され各ポーチ１０の隙間が確保されることで、使用者はダニの生体やその死骸もしくは糞等に起因するいわゆるアレルゲンを掃除機で容易に吸い出しできる。
【００３４】
図６は本実施形態のポーチの接続構造図である。図６（Ａ）はＹ軸方向に２つのポーチを接続した際の接続状態図で、図６（Ｂ）はＸ軸方向に３つのポーチを接続する際の接続状態図である。各ポーチ１０は、カバー袋メッシュ部２１のサイズに基づきあらかじめ設計されたとおりに接続される。各ポーチ１０の接続にあたっては、接続部全体が接着されてもよいし、各ポーチ１０の間に、掃除機による吸い出しが容易になるように、所々に貫通孔１７が設けられて接続してもよい。
【００３５】
なお、図６（Ａ）、（Ｂ）で用いられる縫込みもしくは接着剤等３２については、上述のポーチ袋１２の封止に用いられた接着剤等３１の他に、各ポーチ１０の接続部分にポリエチレン等の架橋剤をしみこませ、各ポーチ間を架橋接続するような方法も利用できる。この場合も、同様にダニの生体やダニの死骸や糞の掃除機による吸引が容易になるように、所々に貫通孔１７が設けられて各ポーチ１０が接続されることが望ましい。また貫通孔１７の大きさを調整することにより通気性が調整される。例えば夏用の寝具には、貫通孔１７の大きさが大きく形成されて通気性が良くなり、夏場や暑い日に快適な寝具にすることもできる。また図６（Ｃ）のようにポーチ素材で出来た接続布１８がポーチ１０とポーチ１０との間を開けて溶着して架橋することもできる。接続布１８の間隔が調整されることで貫通孔１７の大きさを変えて通気性が調整される。そして冬用の寝具には、ダニなどを掃除機で吸い出しできる大きさで且つ貫通孔１７の大きさが小さく形成されてもよい。
【００３６】
図７は、本実施形態のカバー袋２０で、図７（Ａ）は平面図、図７（Ｂ）は下面図、図７（Ｃ）は右側面図である。図７（Ａ）の平面図に示されるように、カバー袋２０は、カバー袋メッシュ部２１とカバー袋縁部２２とからなり、カバー袋メッシュ部２１は第２通風孔２３となる０．５ｍｍよりも荒いメッシュで構成されている。図７で示されるカバー袋２０は例えば１５ｃｍ×３０ｃｍの大きさである。
【００３７】
カバー袋縁部２２はポーチ投入口２４ａ、２４ｂを除いて裏表で縫い込まれており（縫込み部２８）、ポーチ投入口２４ａ、２４ｂにはそれぞれ留め具３３ａ、３３ｂをつけるための留め具孔２６ａ、２６ｂが設けられている。図７では、ポーチ投入口２４ａ及び２４ｂがプラスＹ軸方向とマイナスＹ軸方向とに対向して２か所設けられているが、最低１か所あれば足り、３か所以上設けられても構わない。その場合は、追加されたポーチ投入口２４の近傍にポーチ投入口留め孔２６もあわせて設ける。また、ポーチ投入口２４を大きく開くようにした場合には、同じＹ軸上に、ポーチ投入口留め孔２６も複数設けるか、ファスナー等を使用してもよい。カバー袋２０に大き目のポーチ１０を挿入するような場合は、ポーチ袋１２の辺の長さや厚さなどより小さなポーチ投入口２４を設けるだけでもよい。これにより、ポーチ袋１２がポーチ投入口２４引っ掛かって出てこなくなる。
【００３８】
また、後述するように、複数のカバー袋２０が接続されて、大きなサイズの寝具が必要になることもある。この際には、プラス／マイナスＹ軸方向に、カバー袋２０が接続されてサイズを拡張することができる。サイズの拡張は個々のカバー袋同士を縫製しても良いし、留め孔２７ａ、２７ｂを設けて留め具３３等を用いて個々のカバー袋同士を留めてもよい。
【００３９】
このカバー袋２０の材質は、ポリエステル等の化学繊維や木綿等の天然繊維が用いられる。これらは、図５で縦横に接続された各ポーチ１０を柔らかく包み込む柔軟性があることが好ましい。そして、掃除機の吸引口を押し付けた際に第２通気孔２３から吸引する際に耐えうる強度があることが好ましい。カバー袋２０には、第２通風孔２３を形成するメッシュ領域に滑り止め加工が施されてもよい。滑り止め加工が施されると、ポーチが動きにくくなる。
【００４０】
図８は、本実施形態の寝具の形状で、図８（Ａ）は平面図、図８（Ｂ）は下面図、図８（Ｃ）は右側面図である。図２で示された中綿材投入口が封止されたポーチ１２は、ポーチ投入２４ａ、２４ｂからカバー袋２０の中に挿入される。挿入されたポーチがカバー袋内で偏らないように例えば、図６で示された接続されたポーチ１０を使用したり、四隅を紐やボタン等で固定したり、糸で縫付けて固定したりすることもできる。但し、糸で縫付ける場合はポーチの縁部を縫付けてポーチの内側にダニが入る穴を設けないようにすることが好ましい。また、縫付けた場合はポーチの取替えがしにくいことも考慮することが好ましい。接続されたポーチ１０が挿入された後は、ポーチ投入口留め孔２６ａ、２６ｂを用いて、留め具３３ａ、３３ｂでポーチ投入口２４ａ、２４ｂをしっかりと留める。カバー袋メッシュ部２１に十分な数のポーチ１０が挿入されると、カバー袋メシュ部２１はプラスＺ軸方向及びマイナスＺ軸方向に膨らんだ形状となり、ポーチ１０弾力性により寝具としての機能を果たす。
【００４１】
図９は、留め具を利用した図８の本実施形態の寝具であり、図９（Ａ）は平面図、図９（Ｂ）はＡ−Ａ断面図、図９（Ｃ）はＢ−Ｂ断面図である。図９（Ａ）に示されるように、カバー袋メッシュ部２１の２か所に留め具３３ｃ、３３ｄが設けられている。この留め具３３ｃ、３３ｄはカバー袋メッシュ部２１の第２通風孔２３を利用して、カバー袋メッシュ部２１のプラス／マイナスＺ軸方向から留める。カバー袋メッシュ部のプラス／マイナスＺ軸方向の面２１ｂでポーチ１０が押え付けられることで、ポーチ袋１２の配列の崩れが少なくなる。
【００４２】
カバー袋メッシュ部２１への留め具３３の設置は、複数個所設けてもよい。複数設けることで、ポーチ袋１２の配列がより安定する。また留め具３３を使用しなくても、表側（プラスＺ軸側）と裏側（マイナスＺ軸側）のメッシュ部２１が、紐などで縛り付けられたり糸で縫い付けられたりしてもよい。
【００４３】
図１０は、本実施形態の寝具を用い、サイズの大きい掛け布団等に展開する場合の説明図で、図１０（Ａ）はプラスＸ軸方向へサイズを拡張する場合の説明図、図１０（Ｂ）はさらにプラスＹ軸方向へサイズを拡張する場合の説明図である。ポーチ投入口２４ｂの留め孔２６ｂが１か所のカバー袋２０に用いられる場合は、図１０（Ａ）に示されるように、ポーチ１０が投入後の寝具のカバー袋縁部２２を各々の表裏で重ねあわせ、各々の寝具の留め具孔２６ｂを利用して、留め具３３ｂで２つの寝具が接続される。この場合、留め具３３ｂは、ポーチ投入口２４ｂを閉じる役割と、本実施形態の寝具相互を接続する役割を有する。なお、図１０（Ａ）では留め具孔２６ｂがカバー袋縁部２２に１か所設けられているが、上述したように複数個所設けても構わない。
【００４４】
図１０（Ｂ）はさらにプラスＹ軸方向へサイズを拡張する場合の説明図である。図１０（Ｂ）に示されるように、カバー袋縁部２２に設けた留め具孔２７ａと２７ｂを用い、カバー袋縁部２２が重ね合わせられ、各々の寝具の留め具孔２７ａと２７ｂを利用して、留め具３３（３３ｅ、３３ｆ）で４つの寝具が接続される。なお、図８（Ａ）では留め具孔２７（２７ａ、２７ｂ）がカバー袋縁部２２に１か所設けられているが、上述したように複数個所設けられても構わない。留め具３３の代わりに紐などで縛り付けられたり糸で縫い付けられたりしてもよい。また、カバー袋縁部２２には中綿材が無いもしくは少ないので、冬用の寝具では保温性が充分でないことがある。このためカバー袋縁部２２に保温性の高い生地等が縫い付けられたり留め具３３で保持されたりして、保温性が高められても良い。予め掛け布団や敷き布団として製造することが決まっているような場合は、布団サイズ（例えば２１０×１５０ｃｍ）のメッシュを縫製等により小間に仕切ってカバー袋を製造してもよい。またカバー袋が布団サイズ（例えば２１０×１５０ｃｍ）のように１枚の大きなカバー袋を用意して、その中に中綿材１１が入れられてから、１５×３０ｃｍにメッシュを縫製することで７０個のカバー袋２０が接続されているように製作してもよい。これらの場合は、メッシュ袋の縁部や小間に分けるための縫製部分に保温性の高い生地などを縫付けて保温性を高めてもよい。
【００４５】
このように複数のカバー袋２０が接続された寝具は、枕、掛け布団、敷き布団等の用途の適用ができる。そして複数のカバー袋２０が接続されたものは、それに対応した枕カバー３４（図１を参照）、布団カバー（不図示）に収納され、それぞれの寝具として使用される。
【００４６】
図１１は、掛け布団又は敷布団等に展開する場合の説明図である。図１１（Ａ）はその平面図であり、図１１（Ｂ）は（Ａ）のＢ−Ｂ断面図である。４つの各ポーチ１０は、高さＨ１が５５ｃｍで幅Ｌ１が１５０ｃｍの長方形であり、各ポーチ１０がカバー袋２０ａに入れられている。このカバー袋２０ａの表側はＹ軸方向の両側に、幅Ｌ１１のカバー袋メッシュ部２１が形成されており、中央に幅Ｌ１２のポーチ投入口２４ｃが形成されている。例えば幅Ｌ１１が６０ｃｍであり、幅Ｌ１２が３０ｃｍである。カバー袋２０ａの裏面（図１１（Ｂ）を参照）はカバー袋メッシュ部２１が形成されている。カバー袋縁部２２は、裏表で縫い込まれている（縫込み部２８）。縫込み部はパイピング等を用いて補強するのが好ましい。各ポーチ１０は、Ｘ軸方向に並べて挿入される。ポーチの動きを止める為に四隅を紐や留め具で止めるか、滑り止め加工が施されたメッシュ等を用いてもよい。図１１（Ａ）に示される掛け布団又は敷布団等は、Ｘ軸方向に約２１０ｃｍでＹ軸方向に１５０ｃｍとなる。
【００４７】
図１１ではカバー袋２０aをＸ軸に重ねずに並べたものについて説明したが、カバー袋２０ａの一部を重ねて縫製することでポーチ同士の隙間を作らない構造にすることができる。ポーチ１０及びカバー袋２０aのサイズを例えばＨ１が６０ｃｍで幅Ｌ１が１５０ｃｍの長方形にすることで５ｃｍ程度の重なり部を備えたシングルサイズの掛け布団にすることができる。
【００４８】
図１１（Ｂ）で示されるように、右側２つのカバー袋２０ａはポーチ投入口２４ｃが形成されている。Ｙ軸方向の中央に形成されたポーチ投入口２４ｃから、各ポーチ１０が折り畳まれてカバー袋２０ａに入れられる。使用者は、掃除機によってカバー袋メッシュ部２１を介してポーチ１０の表面を吸引したり、直接ポーチ１０の表面（ポーチ投入口２４ｃの領域）を吸引したりできる。
【００４９】
図１１では、ポーチ１０はすべて同じ中綿材１１が入れられていることを前提として説明したが、４つのポーチ１０に入れられた中綿材１１を、例えば一番右側（プラスＸ軸側）は羽毛とし、一番左側（マイナスＸ軸側）はアクリルとしてもよい。保温性等を考慮して中綿材１１を変更して、使用者の足側を温かくしたり、頭側を温かくしたりすることができる。また、頭側を涼しくしたい場合には、図２（Ｃ）で示されたように、空気孔１２ｃを形成したポーチ１０ｃを頭側のカバー袋２０ａに入れるようにしてもよい。
【００５０】
図１２はサイズの大きいポーチ１０を用いた本実施形態の寝具の外観図である。ここでは、Ｘ軸方向、Ｙ軸方向ともに６０ｃｍのポーチを用いられている。これは防寒性もしくはドレープ性を高める目的で継ぎ目や吸出し穴が無い大き目のポーチを採用している。カバー袋２０内でポーチ１０が偏らないように例えば四隅を紐やボタン等でポーチが固定されてもよい。カバー袋２０の表側から掃除機で吸引されただけでは下側のダニの死骸等を吸い出すことができないおそれがある。そこでダニの死骸や糞を吸い出す際には、カバー袋メッシュ部２１のプラス／マイナスＺ軸方向、プラス／マイナスＹ軸方向、プラス／マイナスＸ軸方向から、掃除機の吸引口を押付けて、ダニの死骸や糞を吸い出すことが好ましい。もちろん、カバー袋２０からポーチ１０を取り出して、掃除機でダニ等を吸引してもよい。
【００５１】
図１３はカバー袋２０の配置の説明図である。カバー袋２０の接続箇所で温度が下がらないようにするために、異なったサイズのカバー袋２０で、その配置をずらして熱が放出されにくい構成にすることができる。また、カバー袋２０を重ねて配置することで隙間を作らない構造にもできる。
【００５２】
図１４はサイズの大きいポーチを用いた本実施形態の寝具で、図１４（Ａ）は平面図、図１４（Ｂ）はＡ−Ａ断面図、図１４（Ｃ）はＢ−Ｂ断面図である。ここでは、Ｘ軸方向の幅が同一で、Ｙ軸方向の幅Ｌ３が例えば２０ｃｍのポーチ１０ａと、Ｙ軸方向の幅Ｌ４が例えば１０ｃｍのポーチ１０ｂとが用いられている。図１４（Ｂ）で示されるように、プラスＺ軸方向に向かって、１層目と３層目は２つのポーチ１０ａで構成され、２層目は１つのポーチ１０ａと２つのポーチ１０ｂとで構成され、図５（Ｂ）に示した多重オフセット構造が形成されている。ポーチ１０ａ間、ポーチ１０ａとポーチ１０ｂ間の接続は各々の隙間を配置している。ポーチ１０のサイズが大きい場合、各ポーチ１０は整列状態から形が崩れてしまうことがないため、縫込みもしくは接着剤等３２でポーチ１０相互を接続しなくても安定するので、配置するのみでも構わない。
【００５３】
図１４で示されたポーチ１０ａ又は１０ｂは、図１又は図８で示したポーチ１０よりも大きい。このため表側から掃除機で吸引しただけでは下側のダニの死骸等を吸い出すことができないおそれがある。そこでダニの死骸や糞を吸い出す際には、カバー袋メッシュ部２１のプラス／マイナスＺ軸方向、プラス／マイナスＹ軸方向、プラス／マイナスＸ軸方向から、掃除機の吸引口を押付けて、ダニの死骸や糞を吸い出すことが好ましい。もちろん、カバー袋２０からポーチ１０ａ又は１０ｂを取り出して、掃除機でダニ等を吸い出すこともできる。
【００５４】
本実施形態の寝具では、掃除機でアレルゲンを吸い出しする方法をとる。そのため、死滅したダニや糞が掃除機により吸い出すことが出来るように多数の吸い出しできる隙間又は貫通孔を設けており、それにより短時間で確実な吸い出しが可能となる。
【符号の説明】
【００５５】
１０、１０ａ、１０ｂ、１０ｃ…ポーチ
１１…中綿材
１２、１２ａ…ポーチ袋、１２ｃ…空気孔
１３…ポーチ袋の表面
１４…第１通風孔
１５…中綿材投入口
１６…ポーチシート，    １７…貫通孔
２０…カバー袋
２１…カバー袋メッシュ部
２２…カバー袋縁部
２３…第２通風孔
２４…ポーチ投入口
２６…ポーチ投入口留め孔
２７…留め孔
２８…縫込み部
３１、３２…接着剤等
３３…留め具
３４…枕カバー
３５…カッター等
【図１】
2020099685.tif 000003
【図２】
2020099685.tif 000004
【図３】
2020099685.tif 000005
【図４】
2020099685.tif 000006
【図５】
2020099685.tif 000007
【図６】
2020099685.tif 000008
【図７】
2020099685.tif 000009
【図８】
2020099685.tif 000010
【図９】
2020099685.tif 000011
【図１０】
2020099685.tif 000012
【図１１】
2020099685.tif 000013
【図１２】
2020099685.tif 000014
【図１３】
2020099685.tif 000015
【図１４】
2020099685.tif 000016